(57)【要約】      （修正有）【課題】ユーザ操作を介することなく品質障害発生時における品質劣化の原因および発生箇所をリアルタイムに特定する。【解決手段】外部ネットワーク２における通信の品質情報を生成する品質情報生成部と、品質情報生成部により生成された宅外ネットワーク品質情報を出力する品質情報送信部とを有するホームゲートウェイ装置３と、品質情報送信部から出力された宅外ネットワーク品質情報を受信する品質情報受信部と、ホームネットワーク４における通信の品質情報を生成する品質情報生成部と、品質情報受信部が受信した宅外ネットワーク品質情報、および品質情報生成部が生成した宅内ネットワーク品質情報を参照して品質劣化が発生しているか判定し、品質劣化が発生していた場合に品質劣化の発生箇所を特定する品質情報判断部と、品質劣化の発生および発生箇所を通知する品質情報表示部とを有する映像受信端末５とを備える。【選択図】図１
2013179377.tif 000002
【特許請求の範囲】
【請求項１】
宅外ネットワークに接続された配信サーバから配信される映像音声データを、前記宅外ネットワークと宅内ネットワークを接続するゲートウェイ装置を経由して前記宅内ネットワークに接続された受信端末へ伝送する通信システムにおける品質劣化を検知し、通知する品質劣化通知システムにおいて、
前記ゲートウェイ装置は、前記宅外ネットワークにおける通信の品質情報を生成する宅外品質情報生成部と、前記宅外品質情報生成部により生成された宅外ネットワーク品質情報を出力する品質情報送信部とを備え、
前記受信端末は、前記品質情報送信部から出力された前記宅外ネットワーク品質情報を受信する品質情報受信部と、前記宅内ネットワークにおける通信の品質情報を生成する宅内品質情報生成部と、前記品質情報受信部が受信した宅外ネットワーク品質情報、および前記宅内品質情報生成部が生成した宅内ネットワーク品質情報を参照して品質劣化が発生しているか判定し、品質劣化が発生していた場合に前記品質劣化の発生箇所を特定する品質情報判断部と、前記品質劣化の発生および発生箇所を通知する品質情報表示部とを備えることを特徴とする品質劣化通知システム。
【請求項２】
前記配信サーバは、映像音声データの符号化における品質劣化を推定した品質評価値を生成する品質推定部と、前記品質評価値を前記映像音声データと合せて出力する送信部とを備え、
前記受信端末は、前記品質評価値を受信する評価値受信部を備え、前記品質情報判断部は、前記評価値受信部が受信した品質評価値を参照して品質劣化が発生しているか判定し、品質劣化が発生していると判定された場合には、前記品質情報表示部により映像音声データの符号化において品質劣化が発生した旨を通知することを特徴とする請求項１記載の品質劣化通知システム。
【発明の詳細な説明】
【技術分野】
【０００１】
この発明は、ネットワークを経由して映像音声データをパケットにより伝達する配信サービスにおいて、通信による品質劣化を検知して通知するシステムに関するものである。
【背景技術】
【０００２】
従来より、ＩＰＴＶサービスやＶｏＩＰなどのような、ネットワークを経由して音声情報や映像情報をパケットにより伝達するサービスを利用する場合、受信信号の品質が劣化する場合があった。この対策として、特許文献１にはネットワーク内の伝送において品質劣化が発生した際に、障害原因を特定して通知する方法が提案されている。
具体的には、ユーザが品質劣化を感じた時点で直ちに障害原因の測定を開始できるように、障害原因を特定するためのボタンをユーザ端末にディスプレイ表示しており、ユーザが品質劣化を感知したときに当該ボタンをマウスなどでクリックすることにより、測定対象装置に向けて品質測定パケットを配信する。品質測定パケットにより測定された品質値をあらかじめ決められている閾値と比較し、その区間において障害が発生しているかを判定し、障害原因をユーザへ通知する。
【先行技術文献】
【特許文献】
【０００３】
【特許文献１】特開２００２−５１０４１号公報
【特許文献２】特開２００９−２７３０３１号公報
【発明の概要】
【発明が解決しようとする課題】
【０００４】
しかしながら、上述した特許文献１の通知方法では、映像音声情報サービスを受けているユーザが、品質劣化を感知した際にボタン操作を実施することによりその原因探索を開始するため、ネットワーク品質の劣化が継続している場合にのみ原因調査が可能であり、ネットワーク品質が劣化した状況と異なる場合には障害発生時のネットワーク品質を確認することができず、真の品質劣化発生箇所を特定することができないという課題があった。
【０００５】
この発明は上記のような課題を解決するためになされたもので、ユーザの手を介することなく品質障害発生時における品質劣化の原因および発生箇所をリアルタイムに特定することができる品質劣化通知システムを提供することを目的とする。
【課題を解決するための手段】
【０００６】
この発明は、宅外ネットワークに接続された配信サーバから配信される映像音声データを、宅外ネットワークと宅内ネットワークを接続するゲートウェイ装置を経由して宅内ネットワークに接続された受信端末へ伝送する通信システムにおける品質劣化を検知し、通知する品質劣化通知システムにおいて、ゲートウェイ装置は、宅外ネットワークにおける通信の品質情報を生成する宅外品質情報生成部と、宅外品質情報生成部により生成された宅外ネットワーク品質情報を出力する品質情報送信部とを備え、受信端末は、品質情報送信部から出力された宅外ネットワーク品質情報を受信する品質情報受信部と、宅内ネットワークにおける通信の品質情報を生成する宅内品質情報生成部と、品質情報受信部が受信した宅外ネットワーク品質情報、および宅内品質情報生成部が生成した宅内ネットワーク品質情報を参照して品質劣化が発生しているか判定し、品質劣化が発生していた場合に品質劣化の発生箇所を特定する品質情報判断部と、品質劣化の発生および発生箇所を通知する品質情報表示部とを備えるように構成したものである。
【発明の効果】
【０００７】
この発明によれば、宅外ネットワークにおける通信の品質情報を生成する宅外品質情報生成部と、宅外品質情報生成部により生成された宅外ネットワーク品質情報を出力する品質情報送信部とを有するホームゲートウェイ装置と、品質情報送信部から出力された宅外ネットワーク品質情報を受信する品質情報受信部と、宅内ネットワークにおける通信の品質情報を生成する宅内品質情報生成部と、品質情報受信部が受信した宅外ネットワーク品質情報、および宅内品質情報生成部が生成した宅内ネットワーク品質情報を参照して品質劣化が発生しているか判定し、品質劣化が発生していた場合に品質劣化の発生箇所を特定する品質情報判断部と、品質劣化の発生および発生箇所を通知する品質情報表示部とを有する受信端末とを備えるように構成したので、ユーザの手を介することなく品質障害発生時における品質劣化の原因および発生箇所をリアルタイムに特定することができる。
【図面の簡単な説明】
【０００８】
【図１】実施の形態１による品質劣化通知システムの構成を示す図である。
【図２】実施の形態１による映像配信サーバの構成を示すブロック図である。
【図３】実施の形態１によるホームゲートウェイ装置の構成を示すブロック図である。
【図４】実施の形態１による映像受信端末の構成を示すブロック図である。
【図５】実施の形態１による通信劣化通知システムにおけるＩＰパケットの構成例を示す図である。
【図６】実施の形態１による品質劣化通知システムの動作を示すシーケンス図である。
【図７】実施の形態２による映像配信サーバの構成を示すブロック図である。
【図８】実施の形態２による映像配信サーバの係数データベースの一例を示す図である。
【図９】実施の形態２による映像受信端末の構成を示すブロック図である。
【図１０】実施の形態２による品質劣化通知システムの動作を示すシーケンス図である。
【発明を実施するための形態】
【０００９】
実施の形態１．
図１は、実施の形態１による品質劣化通知システムの構成を示す図である。
この品質劣化通知システムは、映像配信サーバ１、外部ネットワーク（宅外ネットワーク）２、ホームゲートウェイ装置３、ホームネットワーク（宅内ネットワーク）４、映像受信端末（受信端末）５およびテレビ６で構成されている。なお、ホームゲートウェイ装置３、映像受信端末５およびテレビ６は宅内に設置されている。この品質劣化通知システムでは、映像配信サーバ１から映像受信端末５に対してコンテンツである映像ストリームを配信するサービスが行われ、映像ストリームの品質をホームゲートウェイ装置３および映像受信端末５が有する品質情報生成部（詳細は後述する）で監視している。
【００１０】
映像配信サーバ１は、外部ネットワーク２を介してホームゲートウェイ装置３と接続されている。ホームゲートウェイ装置３は、光ファイバや電話回線を通じて、外部ネットワーク２に接続され、外部ネットワーク２とホームネットワーク４間のパケットを転送する。映像受信端末５は宅内のネットワークであるホームネットワーク４を介してホームゲートウェイ装置３と接続されている。テレビ６は、映像入出力インターフェース（図示せず）を介して映像受信端末５と接続されている。またテレビ６は、映像受信端末５から入力される映像ストリームを表示する。
【００１１】
図２は、実施の形態１による映像配信サーバの構成を示すブロック図である。映像配信サーバ１は、映像ストレージ１１、ストリーム出力管理部１２、パケット転送部１３および外部ネットワーク側通信部１４で構成されている。
映像ストレージ１１は、映像ストリームを蓄積しており、ストリーム出力管理部１２が当該映像ストレージ１１から映像ストリームを読み出し、パケット転送部１３に出力する。パケット転送部１３は受け取った映像ストリームを外部ネットワーク側通信部１４に出力する。外部ネットワーク側通信部１４は外部ネットワーク２を介してホームゲートウェイ装置３に映像ストリームを送信する。
【００１２】
図３は、実施の形態１によるホームゲートウェイ装置の構成を示すブロック図である。ホームゲートウェイ装置３は、外部ネットワーク側通信部３１、パケット転送部３２、ホームネットワーク側通信部３３、品質情報生成部（宅外品質情報生成部）３４および品質情報送信部３５で構成されている。
外部ネットワーク側通信部３１は、外部ネットワーク２を介して映像配信サーバ１が配信する映像ストリームを受信し、受信した映像ストリームをパケット転送部３２に出力する。パケット転送部３２は、受信した映像ストリームをホームネットワーク側通信部３３および品質情報生成部３４に出力する。なお、パケット転送部３２は、受信した映像ストリームのパケットのＩＰデスティネーションアドレスを参照し、映像受信端末５が受信するパケットを特定する。ホームネットワーク側通信部３３は、受信した映像ストリームをホームネットワーク４を介して映像受信端末５へ送信する。
【００１３】
品質情報生成部３４は、ＩＰパケットキャプチャ部３４ａ、ＩＰパケット解析部３４ｂおよび品質情報記憶部３４ｃで構成され、パケット転送部３２から入力された映像ストリームから品質情報を抽出する。品質情報生成部３４の詳細な構成は後述する。品質情報送信部３５は、品質情報生成部３４において抽出された品質情報を、例えば品質測定区間（この実施の形態１では、１秒間隔）毎に、パケット転送部３２、ホームネットワーク側通信部３３およびホームネットワーク４を介して映像受信端末５の品質情報受信部５４に送信する。
【００１４】
図４は、実施の形態１による映像受信端末の構成を示すブロック図である。
映像受信端末５は、通信部５１、デコーダ５２、映像出力制御部５３、品質情報受信部５４、品質情報生成部（宅内品質情報生成部）５５、品質情報判断部５６および品質情報表示部５７で構成されている。
通信部５１は、ホームネットワーク４を介してホームゲートウェイ装置３から映像ストリームを受信し、デコーダ５２へ出力する。デコーダ５２は、入力された映像ストリームをデコードして映像出力制御部５３に出力する。映像出力制御部５３は、映像入出力インタフェースを介してテレビ６は映像を出力する。品質情報受信部５４は、ネットワークを介してホームゲートウェイ装置３から入力された品質情報を受信し、品質情報判断部５６に出力する。
【００１５】
品質情報生成部５５は、ＩＰパケットキャプチャ部５５ａ、ＩＰパケット解析部５５ｂおよび品質情報記憶部５５ｃで構成され、通信部５１から入力された映像ストリームから品質情報を抽出する。品質情報生成部５５の詳細な構成は後述する。
【００１６】
品質情報判断部５６は、ホームゲートウェイ装置３から送信された品質情報と自端末内の品質情報生成部５５において生成した品質情報とを参照し、品質劣化の目安となる閾値を越えて品質の劣化が発生しているか判断する。このとき、品質情報生成部３４，５５から送信された品質情報は映像ストリームの同一区間のものとする。さらに品質情報判断部５６は、品質劣化を判定するためにどのような品質情報が必要かを、品質劣化要因毎に予め記憶しており、当該品質劣化要因に合致した品質情報を送信するようにホームゲートウェイ装置３に要求する。ホームゲートウェイ装置３の品質情報送信部３５は、映像受信端末５の品質情報判断部５６の要求に応じて、必要な品質情報を映像受信端末５に送信する。
【００１７】
また、品質情報判断部５６は、ＴＳヘッダに記述されたＰＩＤから映像、音声、およびその他の情報の識別が可能であり、ＰＩＤ毎に映像と音声のＴＳパケット損失の有無を判断することができる。さらに、品質測定区間内に受信した最初のパケットのＲＴＰシーケンス番号およびタイムスタンプと、品質測定区間内に受信した最後のパケットのＲＴＰシーケンス番号およびタイムスタンプと、損失したＴＳパケットのＣＣの番号と、このＴＳパケットを含むＩＰパケットのＲＴＰシーケンス番号とタイムスタンプとを、ホームゲートウェイ装置３内の品質情報生成部３４から取得した品質情報と自端末内の品質情報生成部５５にて生成した品質情報とを比較することにより、ホームネットワーク４内で損失したものかを明確にするために利用することができる。品質情報表示部５７は、品質情報判断部５６から入力される判定結果に基づき、品質劣化の発生通知や発生箇所の通知などをユーザに対して行う。
【００１８】
次に、品質情報生成部３４，５５の詳細について説明する。なお、ホームゲートウェイ装置３の品質情報生成部３４と映像受信端末５の品質情報生成部５５は同一の機能を有しているため、機能説明はまとめて行う。
品質情報生成部３４，５５は、ＩＰパケットキャプチャ部３４ａ，５５ａ、ＩＰパケット解析部３４ｂ，５５ｂおよび品質情報記憶部３４ｃ，５５ｃで構成されている。
ＩＰパケットキャプチャ部３４ａ，５５ａは、ＩＰパケットを受信し、ＩＰパケット解析部３４ｂ，５５ｂに出力する。
【００１９】
図５は、実施の形態１による品質劣化通知システムにおけるＩＰパケットの構成例を示す図である。
ＩＰパケット１００は、ＩＰヘッダ１０１、ＵＤＰ（Ｕｓｅｒ  Ｄａｔａｇｒａｍ  Ｐｒｏｔｏｃｏｌ）ヘッダ１０２、ＲＴＰ（Ｒｅａｌ−ｔｉｍｅ  Ｔｒａｎｓｐｏｒｔ  Ｐｒｏｔｏｃｏｌ）ヘッダ１０３、ＴＳ（Ｔｒａｎｓｐｏｒｔ  Ｓｔｒｅａｍ）ヘッダ１０４、ＰＥＳ（Ｐａｃｋｅｔｉｚｅｄ  Ｅｌｅｍｅｎｔａｒｙ  Ｓｔｒｅａｍｓ）ヘッダ１０５、映像信号や音声信号が符号化されパケット化されたＥＳ（Ｅｌｅｍｅｎｔａｒｙ  Ｓｔｒｅａｍ）１０６などで構成されている。また、ＴＳパケット１０７は、ＴＳヘッダ１０４、ＰＥＳヘッダ１０５およびＥＳ１０６で構成されている。
【００２０】
ＩＰパケット解析部３４ｂ，５５ｂは、入力されたＩＰパケットから品質劣化の判定を行うために必要となる品質情報（ＲＴＰシーケンス番号に準ずる値、ソースアドレス、タイムスタンプ、パケットのゆらぎ情報、およびパケットの遅延情報など）を抽出し、品質情報記憶部３４ｃ，５５ｃに出力する。品質情報記憶部３４ｃ，５５ｃは、ＩＰパケット解析部３４ｂ，５５ｂが抽出した品質情報を格納する。
【００２１】
ＩＰパケット解析部３４ｂが抽出するデータの具体例としては、例えば、ＩＰヘッダに記述されるＩＰソース（送信元）アドレスおよびＩＰデスティネーション（宛先）アドレス、ＴＳヘッダに記述されるパケット識別子であるＰＩＤ、損失したＴＳパケットに記述されるＣＣ（Ｃｏｎｔｉｎｕｉｔｙ  ｃｏｕｎｔｅｒ）の番号、損失したＩＰパケットのＲＴＰシーケンス番号、損失したＩＰパケットの前後のＲＴＰシーケンス番号およびタイムスタンプ、品質測定区間（例えば、１秒間隔）に受信した最初のパケットのＲＴＰシーケンス番号およびタイムスタンプ、品質測定区間に受信した最後のパケットのＲＴＰシーケンス番号およびタイムスタンプ、パケット遅延時間などが挙げられる。
【００２２】
次に、図６を参照しながら、この品質劣化通知システムの動作について説明する。図６は、実施の形態１による品質劣化通知システムの動作を示すシーケンス図である。
映像配信サーバ１は、ホームゲートウェイ装置３に対して映像ストリームを配信する（ステップＳＴ１）。ホームゲートウェイ装置３のパケット転送部３２は映像ストリームを受信し（ステップＳＴ２）、さらにこの映像ストリームを映像受信端末５に配信する（ステップＳＴ３）。
【００２３】
ホームゲートウェイ装置３の品質情報生成部３４は、パケット転送部３２から入力される映像ストリームを取得し、ＩＰパケットキャプチャ部３４ａが当該映像ストリームからＩＰパケットを取得し、ＩＰパケット解析部３４ｂに出力する（ステップＳＴ４）。ＩＰパケット解析部３４ｂは、ＩＰパケットから品質劣化判定を行うために必要となる品質情報を抽出し（ステップＳＴ５）、品質情報記憶部３４ｃに格納する（ステップＳＴ６）。品質情報送信部３５は、ステップＳＴ６において格納した品質情報を映像受信端末５に送信する（ステップＳＴ７）。
【００２４】
映像受信端末５は、ステップＳＴ３において配信された映像ストリームを受信し（ステップＳＴ８）、図６のシーケンスでは記載を省略しているが、デコーダ５２においてデコードし、映像出力制御部５３を介してテレビ６に出力する。一方、品質情報生成部５５のＩＰパケットキャプチャ部５５ａはステップＳＴ８において受信した映像ストリームからＩＰパケットを取得し、ＩＰパケット解析部５５ｂに出力する（ステップＳＴ９）。ＩＰパケット解析部５５ｂは、ＩＰパケットから品質劣化判定を行うために必要となる品質情報を抽出し（ステップＳＴ１０）、品質情報記憶部５５ｃに格納する（ステップＳＴ１１）。
【００２５】
映像受信端末５の品質情報受信部５４は、ステップＳＴ７においてホームゲートウェイ装置３から送信された品質情報を受信し、品質情報判断部５６に出力する（ステップＳＴ１２）。品質情報判断部５６は、ステップＳＴ１２において入力されたホームゲートウェイ装置３の品質情報と、品質情報記憶部５５ｃから読み出した映像受信端末５の品質情報とが品質劣化の目安となる閾値を越えて品質の劣化が発生しているか判断する。品質劣化が発生している場合にはホームゲートウェイ装置３の品質情報と映像受信端末５の品質情報とを比較し、品質劣化が発生している箇所を特定し、これらの判定結果を品質情報表示部５７に出力する（ステップＳＴ１３）。品質情報表示部５７は、ステップＳＴ１３において入力された判定結果をユーザに通知する（ステップＳＴ１４）。
【００２６】
以上のように、この実施の形態１によれば、品質情報生成部３４において生成されたホームゲートウェイ装置３の品質情報と品質情報生成部５５において生成された映像受信端末５の品質情報を参照して品質劣化の発生を判断する品質情報判断部５６を設けるように構成したので、ユーザ宅内のネットワーク内で発生した通信障害についてユーザ操作を介さずにリアルタイムに検出することができる。
【００２７】
また、品質情報判断部５６は、ホームゲートウェイ装置３の品質情報と映像受信端末５の品質情報とを比較して品質劣化の発生箇所を特定するように構成したので、通信障害が継続していない状況であった場合にも品質劣化の原因を調査することができる。
【００２８】
実施の形態２．
上述した実施の形態１ではネットワーク通信における品質劣化の発生を判断して通知する構成を示したが、この実施の形態２の品質劣化通知システムでは、ネットワークの通信品質以外の要因にて発生する品質劣化である、映像符号化時の品質劣化を通知する構成について示す。
図７は、実施の形態２による映像配信サーバの構成を示すブロック図である。この実施の形態２では、図２で示した実施の形態１の映像配信サーバ１に品質推定部１５および係数データベース１６を追加して設けている。なお、実施の形態１による映像配信サーバ１と同一の構成には図１で使用した符号と同一の符号を付して説明を省略または簡略化する。
【００２９】
品質推定部１５は、映像受信端末５に送信する映像ストリームを映像ストレージ１１から読み出し、ＩＰパケット内に記述された映像符号化情報（量子化パラメータ）から符号化直後の品質（符号化品質）を推定し、符号化された際の品質劣化情報である符号化品質評価値を作成する。この符号化品質評価値は読み出した映像ストリームと合せて映像ストレージ１１に蓄積する。ストリーム出力管理部１２は、映像ストレージ１１から映像ストレームおよび符号化品質評価値を読み出し、パケット転送部（送信部）１３に出力する。パケット転送部１３は受け取った映像ストリームを外部ネットワーク側通信部１４に出力する。外部ネットワーク側通信部１４は外部ネットワーク２を介してホームゲートウェイ装置３に映像ストリームを送信する。
【００３０】
符号化品質評価値は、例えば特許文献２に開示されている以下の式（１）で示す送信品質Ｖｃを用いる。
【００３１】
特開２００９−２７３０３１号公報（特許文献２）
2013179377.tif 000003
符号化直後の符号化品質を示す送信品質Ｖｃは、量子化パラメータＱＰが大きくなると低下し、量子化パラメータＱＰが小さくなると上昇する。この特徴を利用して品質推定部１５は式（１）により送信品質Ｖｃを推定する。
【００３２】
図８は、実施の形態２による映像配信サーバの係数データベースの一例を示す図である。
係数データベース１６は、映像配信サーバ１からユーザ端末である映像受信端末５に提供されるサービスの種別、送信される映像のフォーマット、映像受信端末５に送信された映像信号を符号化する際に用いるコーデック種別、および映像フォーマットに対応した係数ｖ１，ｖ２，ｖ３の値で構成されている。品質推定部１５は、当該係数データベース１６を参照して、送信品質Ｖｃを算出するための係数ｖ１，ｖ２，ｖ３の値を取得する。
【００３３】
また、係数データベース１６を構成するサービス種別としては、例えばＩＰＴＶ、ＴＶ電話、ＶｏＤ（Ｖｉｄｅｏ  Ｏｎ  Ｄｅｍａｎｄ）などが挙げられる。また、映像フォーマットとしては、例えばＨＤ（Ｈｉｇｈ  Ｄｅｆｉｎｉｔｉｏｎ）、ＳＤ（Ｓｔａｎｄａｒｄ  Ｄｅｆｉｎｉｔｉｏｎ）、ＶＧＡ（Ｖｉｄｅｏ  Ｇｒａｐｈｉｃｓ  Ａｒｒａｙ）、ＱＣＩＦ（Ｑｕａｒｔｅｒ  Ｃｏｍｍｏｎ  Ｉｎｔｅｒｍｅｄｉａｔｅ  Ｆｏｒｍａｔ）などがある。コーデック種別としては、例えばＨ．２６４、Ｈ．２６１、ＭＰＥＧ２、ＭＰＥＧ４などがある。
【００３４】
図９は、この発明の実施の形態２による映像受信端末の構成を示すブロック図である。この実施の形態２の映像受信端末５では、図４で示した実施の形態１の映像受信端末５に符号化品質評価値受信部５８を追加して設けている。なお、実施の形態１による映像受信端末５と同一の構成には図４で使用した符号と同一の符号を付して説明を省略または簡略化する。
符号化品質評価値受信部５８は、映像配信サーバ１の品質推定部１５において算出された符号化時の品質劣化情報である符号化品質評価値を受信し、品質情報判断部５６に出力する。品質情報判断部５６は、実施の形態１において示した処理に加え、符号化品質評価値受信部５８から入力された符号化品質評価値が品質劣化の目安となる閾値を越えているか否か判定する。ここで符号化品質評価値が所定の閾値を越えている場合には、映像の劣化がネットワークの通信障害によるものではなく映像配信元の符号化による劣化であると判断することができる。品質情報表示部５７は、品質情報判断部５６から入力される判定結果に基づき、品質劣化の通知をユーザに対して行う。
【００３５】
次に、図１０を参照しながら、品質劣化通知システムにおける符号化時の品質劣化検知・通知動作について説明する。図１０は、この実施の形態２による品質劣化通知システムの動作を示すシーケンス図である。
映像配信サーバ１の品質推定部１５は、係数データベース１６を参照して映像受信端末５に送信すべき映像ストリームの符号化品質評価値を作成し、映像ストリームと共に映像ストレージ１１に蓄積する（ステップＳＴ２１）。映像配信サーバ１は映像ストリームとステップＳＴ２１において作成した符号化品質評価値を、外部ネットワーク２を介してホームゲートウェイ装置３に配信する（ステップＳＴ２２）。ホームゲートウェイ装置３は、ステップＳＴ２２において配信された映像ストリームおよび符号化品質評価値をホームネットワーク４を介して映像受信端末５に転送する（ステップＳＴ２３）。
【００３６】
ステップＳＴ２３において映像受信端末５に配信された映像ストリームはデコーダ５２においてデコードされ、映像出力制御部５３を介してテレビ６に出力される（シーケンス記載は省略）。一方、符号化品質評価値受信部５８はステップＳＴ２３において配信された符号化品質評価値を受信し、品質情報判断部５６に出力する（ステップＳＴ２４）。品質情報判断部５６は、ステップＳＴ２４において入力された符号化品質評価値が、品質劣化の目安となる閾値を越えているか否か判定し、閾値を越えている場合には符号化による品質劣化である旨を品質情報表示部５７に出力する（ステップＳＴ２５）。品質情報表示部５７は、符号化による品質劣化の発生をユーザに通知する（ステップＳＴ２６）。
【００３７】
以上のように、この実施の形態２によれば、品質評価値を作成する品質推定部１５を備え、映像受信端末５が当該符号化品質評価値が所定の閾値を越えているか判定し、超えている場合には符号化による品質劣化であると判断する品質情報判断部５６を備えるように構成したので、符号化処理において発生した品質劣化についてもユーザに通知することができる。さらに、ネットワーク内において発生した品質劣化と、符号化処理において発生した品質劣化とを区別してユーザに通知することができる。
【符号の説明】
【００３８】
１  映像配信サーバ、２  外部ネットワーク、３  ホームゲートウェイ装置、４  ホームネットワーク、５  映像受信端末、６  テレビ、１１  映像ストレージ、１２  ストリーム出力管理部、１３，３２  パケット転送部、１４，３１  外部ネットワーク側通信部、１５  品質推定部、１６  係数データベース、３３  ホームネットワーク側通信部、３４，５５  品質情報生成部、３４ａ，５５ａ  ＩＰパケットキャプチャ部、３４ｂ，５５ｂ  ＩＰパケット解析部、３４ｃ，５５ｃ  品質情報記憶部、３５  品質情報送信部、５１  通信部、５２  デコーダ、５３  映像出力制御部、５４  品質情報受信部、５６  品質情報判断部、５７  品質情報表示部、５８  符号化品質評価値受信部。
【図１】
2013179377.tif 000004
【図２】
2013179377.tif 000005
【図３】
2013179377.tif 000006
【図４】
2013179377.tif 000007
【図５】
2013179377.tif 000008
【図６】
2013179377.tif 000009
【図７】
2013179377.tif 000010
【図８】
2013179377.tif 000011
【図９】
2013179377.tif 000012
【図１０】
2013179377.tif 000013